(57)【特許請求の範囲】
【請求項１】
被写体の光学像を撮像信号に変換する撮像素子と、
上記光学像を上記撮像素子上に結像させるレンズユニットと、
上記撮像信号から第１、第２、第３の色信号を分離する色分離手段と、
第１の信号利得値に従って第１の色信号の信号レベルを調整するとともに第２の信号利得値に従って第２の色信号の信号レベルを調整することにより、第１、第２、第３の色信号の信号レベルが互いに等しくなるように白バランス調整する白バランス調整手段と、
白バランス調整された第１、第２、第３の色信号の積算値をそれぞれ算出する積算手段と、
上記積算値が互いに等しくなるように上記第１および第２の信号利得値を上記白バランス調整手段に出力する演算手段と、
上記演算手段からのマトリクス係数を用いたマトリクス演算により、上記白バランス調整された色信号を色差信号に変換する変換手段と
を備え、
上記演算手段は、
上記第１の色信号および第２の色信号に対して１つずつ、数値を“１”ずつアップまたはダウンさせるアップダウンカウンタの役割をして、カウンタ値を上記第１および第２の信号利得値として白バランス調整手段に出力する手段を有して、
上記第３の色信号の積算値と、上記第１の色信号又は上記第２の色信号の積算値とを比較し、その大小により、上記第１又は第２の信号利得値をあらかじめ定められた一定の値だけ増減させて、上記第１、第２、第３の色信号の積算値が略等しい値に収束するように、上記第１および第２の信号利得値の調整を繰り返すことで、上記第１、第２、第３の色信号のレベルが略等しくなるように白バランスを調整すると共に、
上記白バランス調整における上記第１および第２の信号利得値の調整範囲内に、照明の種類及びその演色性に応じた領域区分、及び、該各領域区分に応じた個別のマトリクス補正値を設定しておき、
上記白バランス調整における上記第１および第２の信号利得値の調整の間に、上記第１および第２の信号利得値が、上記各領域区分のいずれかの領域内に位置しているかを判別することで照明の種類を判別すると共に、その位置する領域区分に応じた補正値でマトリクス係数を補正する
ことを特徴とする撮像装置。
【請求項２】
上記レンズユニットは、上記撮像素子に入射する光量を調整するアイリスと、上記アイリスの開口率を検知するセンサとを有し、
上記演算手段は、上記信号利得値および上記開口率に応じてマトリクス係数を補正する
ことを特徴とする請求項１記載の撮像装置。
【請求項３】
上記レンズユニットは、上記演算手段からの制御信号に従って被写体の撮像倍率を変える手段を有し、
上記演算手段は、上記信号利得値および上記撮像倍率に応じてマトリクス係数を補正する
ことを特徴とする請求項１記載の撮像装置。
【発明の詳細な説明】
【０００１】
【発明の属する技術分野】
本発明は、ビデオカメラや電子スチルカメラなどの撮像装置に関するものであり、さらに詳しくは、撮像装置の色再現性を補正する手段を備えた撮像装置に関するものである。
【０００２】
【従来の技術】
図２０は従来の撮像装置の構成図であり、主に色信号処理に関する構成図である。図２０において、１はレンズユニット、２は撮像素子、３はアイリスドライバ、４はタイミングジェネレータ（以後、ＴＧと称する）、５は前置信号処理手段、６はＡ／Ｄコンバータ、７は演算手段、８は信号処理手段、９は出力端子、１０は撮像信号積算手段、１１はアイリス制御手段、１２はズームレンズドライバである。また、レンズユニット１において、１ａはアイリス、１ｂはレンズ系、１ｄはズームレンズである。また、信号処理手段８において、８ａは色分離手段、８ｂはホワイトバランス（ＷＢ）調整手段調整手段、８ｃはマトリクス手段、８ｄは加減算器、８ｅは色信号積算手段、８ｇはエンコーダ、８ｂａはＲ（Ｒｅｄ）信号の利得制御手段、８ｂｂはＧ（Ｇｒｅｅｎ）信号の利得制御手段、８ｂｃはＢ（Ｂｌｕｅ）信号の利得制御手段である。
【０００３】
図２０の従来の撮像装置は、レンズユニット１と、撮像素子２と、アイリスドライバ３と、ＴＧ４と、前置信号処理手段５と、Ａ／Ｄコンバータ６と、演算手段７と、信号処理手段８と、出力端子９と、撮像信号積算手段１０と、アイリス制御手段１１と、ズームレンズドライバ１２とを備えている。
【０００４】
レンズユニット１は、アイリス（絞り機構）１ａと、レンズ系１ｂとを有し、被写体の光学像を撮像素子２上に結像させる。アイリス１ａは、アイリスドライバ３によって開閉するように駆動され、撮像素子２への入射光量を調整する。レンズ系１ｂは、ズームレンズ１ｄを含む複数のレンズから構成されている。ズームレンズ１ｄは、ズームレンズドライバ１２によって前後に移動するように駆動される。このズームレンズ１ｄの位置によって、撮像する被写体の拡大倍率（以後、撮像倍率と称する）を変化させることができる。
【０００５】
撮像素子２は、光を電気信号に変換する２次元配列された多数の画素と、カラー画像を得るためにそれぞれの画素の上に配置された複数種のカラーフィルタとを有し、被写体の光学像を撮像信号に変換し、この撮像信号を前置信号処理手段５に出力する。上記のカラーフィルタは、例えば、Ｒ，Ｇ，Ｂの原色の３種類のカラーフィルタである。また、ＴＧ４は、演算手段７によって制御され、撮像素子２の駆動パルスを生成し、この駆動パルスを撮像素子２に出力する。
【０００６】
前置信号処理手段５は、ＣＤＳ（Correlated Double Sampling：相関２重サンプリング）回路と、利得調整回路とを有する。この前置信号処理手段５は、撮像素子２から入力された撮像信号をＣＤＳ回路においてＣＤＳすることによりノイズを除去し、さらに利得調整回路において撮像信号を増幅することにより撮像信号のレベルを調整し、このノイズ除去およびレベル調整した撮像信号をＡ／Ｄコンバータ６に出力する。また、Ａ／Ｄコンバータ６は、前置信号処理手段５から入力された撮像信号をアナログ信号からデジタル信号に変換し、信号処理手段８の色分離手段８ａに出力する。
【０００７】
撮像信号積算手段１０は、前置信号処理手段５から出力された撮像信号を少なくとも１フィールドごとまたは１フレームごとに積算し、積算値をアイリス制御手段１１に出力する。また、アイリス制御手段１１は、撮像信号積算手段１０による積算値すなわち平均画像レベル（ＡＰＬ：Average Picture Level）があらかじめ定められた一定レベルとなるように、アイリスドライバ３に制御信号を出力し、アイリスドライバ３によってアイリス１ａを開閉させる。また、演算手段７は、撮像倍率が所望の倍率になるように、ズームレンズドライバ１２に制御信号を出力し、ズームレンズドライバ１２によってズームレンズ１ｄを移動させる。
【０００８】
信号処理手段８は、Ａ／Ｄコンバータ６から入力されたデジタルの撮像信号からＲ，Ｇ，Ｂ原色信号を分離し、これらの原色信号からＲ−Ｙ信号およびＢ−Ｙ信号を生成し、これらＲ−Ｙ信号およびＢ−Ｙ信号によるクロミナンス信号を出力端子９に出力する。この信号処理手段８は、色分離手段８ａと、ＷＢ調整手段８ｂと、マトリクス手段８ｃと、加減算器８ｄと、色信号積算手段８ｅと、エンコーダ８ｇとを有する。
【０００９】
色分離手段８ａは、入力された撮像信号から、Ｒ信号（色信号Ｒ’）と、Ｇ信号（色信号Ｇ’）と、Ｂ信号（色信号Ｂ’）とを分離し、これらの色信号Ｒ’，Ｇ’，Ｂ’をＷＢ調整手段８ｂに出力する。
【００１０】
ＷＢ調整手段８ｂは、色信号Ｒ’の利得を調整する利得調整手段８ｂａと、色信号Ｇ’の利得を調整する利得調整手段８ｂｂと、色信号Ｂ’の利得を調整する利得調整手段８ｂｃとを有する。このＷＢ調整手段８ｂは、演算手段７からのＲ信号利得値に従って利得調整手段８ｂａにおいて色信号Ｒ’を増幅または減衰させるとともに、演算手段７からのＢ信号利得値に従って利得調整手段８ｂｃにおいて色信号Ｂ’を増幅または減衰させることにより、Ｒ，Ｇ，Ｂ信号の信号レベルが互いに等しくなるように色信号Ｒ’，Ｇ’，Ｂ’のホワイトバランス（ＷＢ）を調整し、ＷＢ調整したＲ信号（色信号Ｒ）、Ｇ信号（色信号Ｇ）、Ｂ信号（色信号Ｂ）を色信号積算手段８ｅおよび加減算器８ｄに出力する。
【００１１】
色信号積算手段８ｅは、ＷＢ調整された色信号Ｒ，Ｇ，Ｂをそれぞれ少なくとも１フィールドごとまたは１フレームごとに積算することにより、色信号Ｒ，Ｇ，Ｂの積算値ΣＲ，ΣＢ，ΣＧをそれぞれ算出し、これらの積算値ΣＲ，ΣＢ，ΣＧを演算手段７に出力する。
【００１２】
演算手段７は、積算値ΣＲおよびΣＢが積算値ΣＧに等しくなるように、Ｒ信号利得値およびＢ信号利得値をＷＢ調整手段８ｂに出力する。
【００１３】
加減算器８ｄは、ＷＢ調整された色信号Ｒ，Ｇ，Ｂから、色差信号であるＲ−Ｇ信号（Ｒ信号とＧ信号の差信号）およびＢ−Ｇ信号（Ｂ信号とＧ信号の差信号）を生成し、マトリクス手段８ｃに出力する。
【００１４】
マトリクス手段８ｃは、入力されたＲ−Ｇ信号およびＢ−Ｇ信号を、次式（１）に示すマトリクス演算によって色差信号であるＲ−Ｙ信号（Ｒ信号と輝度信号であるＹ信号の差信号）およびＢ−Ｙ信号（Ｂ信号とＹ信号の差信号）に変換し、これらのＲ−Ｙ信号およびＢ−Ｙ信号をエンコーダ８ｇに出力する。
【数１】
0003880276.tif 000002
式（１）において、ａ１１，ａ１２，ａ２１，ａ２２は、マトリクス係数である。これらのマトリクス係数ａ１１，ａ１２，ａ２１，ａ２２は、図２０の従来の撮像装置では固定の値である。
【００１５】
エンコーダ８ｇは、出力端子９から出力される信号が必要な信号形式となるように、Ｒ−Ｙ信号およびＢ−Ｙ信号をエンコードし、エンコードした信号を出力端子９に出力する。ここでは、Ｒ−Ｙ信号およびＢ−Ｙ信号を平衡変調してビデオ信号のクロミナンス信号を生成し、このクロミナンス信号を出力端子９に出力する。
【００１６】
図２０の従来の撮像装置では、標準光源の照明下において得られる映像信号の色再現性が設計目標としている色再現性になるように、撮像素子２の分光感度特性およびマトリクス手段８ｃのマトリクス係数ａ１１，ａ１２，ａ１３，ａ１４をあらかじめ定めておく。例えば、ＮＴＳＣ（National Television System Committee）方式の場合には、ＮＴＳＣ方式にて規定された標準光源（例えばＣ光源）の照明下での撮像装置の分光応答度がＮＴＳＣ方式にて規定された等色関数に近くなるように、撮像素子２の分光感度特性およびマトリクス手段８ｃのマトリクス係数ａ１１，ａ１２，ａ１３，ａ１４をあらかじめ定めておく。従って、被写体がＮＴＳＣ方式にて規定された上記の標準光源で照射された場合は、理想的な色再現性が得られる。
【００１７】
しかし、被写体の照明は常に撮影者が設定できるわけでなく、実際の撮影環境下においては、蛍光灯、水銀ランプなど様々な照明があり得る。例えば、一般的な蛍光灯の照明下で撮影した場合、その蛍光灯の演色性が低い場合は、太陽光などの演色性が良い照明下で撮影した場合に比べて、色再現性が悪くなるという問題があった。これは、撮像装置において生成される色信号Ｒ，Ｇ，Ｂが、撮像素子２の分光感度特性と、照明の分光特性と、被写体の分光反射特性との乗算値から求められるためであり、演色性の良い太陽光などの光源と、演色性の悪い蛍光灯などの光源との分光特性が著しく異なるためである。
【００１８】
これらの問題を解決するために、撮影環境における光源を判別し、光源に応じて上記のマトリクス係数を可変とすることで、撮像装置の色再現性を改善する従来の撮像装置もあった。図２１は色再現性の改善を図った従来の撮像装置の構成図である。図２１において、１３は外部測光センサ（外光センサ）であり、図２０と同じものには同じ符号を付してある。
【００１９】
外光センサ１３は、例えばそれぞれＲ，Ｇ，Ｂの色フィルタを具備した３個のセンサを有し、それぞれのセンサの出力信号を演算手段７に出力する。外光センサの色フィルタの分光感度特性は、撮像素子２のカラーフィルタと同様の特性を有する。外光センサ１３のそれぞれのセンサは、撮影時における照明から発せられた光を上記色フィルタを介して受光するため、演算手段７は、外光センサ１３からの出力信号によって照明光のＲ，Ｇ，Ｂ比を認識することができ、このＲ，Ｇ，Ｂ比により照明の演色性を推定することができる。一般に、演色性（Ｒａ）が１００である太陽光に比べ、蛍光灯はＲ成分およびＢ成分が少ない。これは、蛍光灯の発光効率を上げるためにＧ成分を多くしているからである。このため、人工の照明光の場合、演色性が低くなるに従ってＲ／Ｇの値およびＢ／Ｇの値が小さくなっていく傾向にある。
【００２０】
図２１の従来の撮像装置は、外光センサ１３から得られた照明のＲ，Ｇ，Ｂ比をもとに照明の演色性を判別し、この演色性に応じて、演算手段７によってマトリクス手段８ｃのマトリクス係数ａ１１，ａ１２，ａ２１，ａ２２を調整し、色再現性を補正するものであった。
【００２１】
【発明が解決しようとする課題】
しかしながら、図２０に示した従来の撮像装置では、演色性の悪い照明下での撮影では良好な色再現性が得られないことがあるという問題があった。
【００２２】
また、図２１に示した撮像装置を実現するためには、照明光の演色性を判別するための外光センサを設ける必要があり、撮像装置を小型化する上で不利であり、また意匠的にも制限がかかり、さらにコスト的にも不利であるという問題があった。
【００２３】
本発明は、このような従来の問題を解決するためになされたものであり、新たに外部センサを設けることなく、演色性の悪い照明下でも色再現性を補正することが可能な撮像装置を得ることを目的とするものである。
【００２４】
【課題を解決するための手段】
上記の目的を達成するために、本発明の請求項１記載の撮像装置は、被写体の光学像を撮像信号に変換する撮像素子と、上記光学像を上記撮像素子上に結像させるレンズユニットと、上記撮像信号から第１、第２、第３の色信号を分離する色分離手段と、第１の信号利得値に従って第１の色信号の信号レベルを調整するとともに第２の信号利得値に従って第２の色信号の信号レベルを調整することにより、第１、第２、第３の色信号の信号レベルが互いに等しくなるように白バランス調整する白バランス調整手段と、白バランス調整された第１、第２、第３の色信号の積算値をそれぞれ算出する積算手段と、上記積算値が互いに等しくなるように上記第１および第２の信号利得値を上記白バランス調整手段に出力する演算手段と、上記演算手段からのマトリクス係数を用いたマトリクス演算により、上記白バランス調整された色信号を色差信号に変換する変換手段とを備え、上記演算手段が、上記第１の色信号および第２の色信号に対して１つずつ、数値を“１”ずつアップまたはダウンさせるアップダウンカウンタの役割をして、カウンタ値を上記第１および第２の信号利得値として白バランス調整手段に出力する手段を有して、上記第３の色信号の積算値と、上記第１の色信号又は上記第２の色信号の積算値とを比較し、その大小により、上記第１又は第２の信号利得値をあらかじめ定められた一定の値だけ増減させて、上記第１、第２、第３の色信号の積算値が略等しい値に収束するように、上記第１および第２の信号利得値の調整を繰り返すことで、上記第１、第２、第３の色信号のレベルが略等しくなるように白バランスを調整すると共に、上記白バランス調整における上記第１および第２の信号利得値の調整範囲内に、照明の種類及びその演色性に応じた領域区分、及び、該各領域区分に応じた個別のマトリクス補正値を設定しておき、上記白バランス調整における上記第１および第２の信号利得値の調整の間に、上記第１および第２の信号利得値が、上記各領域区分のいずれかの領域内に位置しているかを判別することで照明の種類を判別すると共に、その位置する領域区分に応じた補正値でマトリクス係数を補正することを特徴とする。
【００２５】
本発明の請求項２記載の撮像装置は、上記レンズユニットが、上記撮像素子に入射する光量を調整するアイリスと、上記アイリスの開口率を検知するセンサとを有し、上記演算手段が、上記信号利得値および上記開口率に応じてマトリクス係数を補正することを特徴とする。
【００２６】
本発明の請求項３記載の撮像装置は、上記レンズユニットが、上記演算手段からの制御信号に従って被写体の撮像倍率を変える手段を有し、上記演算手段は、上記信号利得値および上記撮像倍率に応じてマトリクス係数を補正する。
【００２７】
【発明の実施の形態】
実施の形態１．
図１は本発明の実施の形態１による撮像装置の構成図である。図１において、１はレンズユニット、２は撮像素子、３はドライバ、４はタイミングジェネレータ（ＴＧ）、５は前置信号処理手段、６はＡ／Ｄコンバータ、７Ａは演算手段、８は信号処理手段、９は出力端子、１０は撮像信号積算手段、１１はアイリス制御手段、１２はズームレンズドライバである。また、レンズユニット１において、１ａはアイリス、１ｂはレンズ系、１ｄはズームレンズである。また、信号処理手段８において、８ａは色分離手段、８ｂはホワイトバランス調整手段（ＷＢ調整手段）、８ｃはマトリクス手段、８ｄは加減算器、８ｅは色信号積算手段、８ｇはエンコーダ、８ｂａはＲ信号の利得制御手段、８ｂｂはＧ信号の利得制御手段、８ｂｃはＢ信号の利得制御手段である。なお、図１において、図２０と同じものには同じ符号を付してある。
【００２８】
図１の実施の形態１の撮像装置は、レンズユニット１と、撮像素子２と、アイリスドライバ３と、ＴＧ４と、前置信号処理手段５と、Ａ／Ｄコンバータ６と、演算手段７Ａと、信号処理手段８と、出力端子９と、撮像信号積算手段１０と、アイリス制御手段１１と、ズームレンズドライバ１２とを備えている。このように実施の形態１の撮像装置は、図２０の従来の撮像装置において、演算手段７を演算手段７Ａとしたものである。
【００２９】
レンズユニット１は、アイリス１ａと、レンズ系１ｂとを有し、被写体の光学像を撮像素子２上に結像させる。アイリス１ａは、アイリスドライバ３によって開閉するように駆動され、撮像素子２に入射する光量を調整する。レンズ系１ｂは、ズームレンズ１ｄを含む複数のレンズから構成されている。ズームレンズ１ｄは、ズームレンズドライバ１２によって前後に移動するように駆動される。このズームレンズ１ｄの位置によって撮像倍率を変化させることができる。
【００３０】
撮像素子２は、光を電気信号に変換する２次元配列された多数の画素と、カラー画像を得るためにそれぞれの画素の上に配置された複数種のカラーフィルタとを有する。この撮像素子２は、被写体の光学像を撮像信号に変換し、この撮像信号を前置信号処理手段５に出力する（被写体を撮像し、被写体の撮像信号を前置信号処理手段５に出力する）。代表的な撮像素子としては、ＣＣＤセンサとＣＭＯＳセンサがある。また、代表的なカラーフィルタとしては、Ｒ（Ｒｅｄ），Ｇ（Ｇｒｅｅｎ），Ｂ（Ｂｌｕｅ）の原色の３種類のカラーフィルタと、Ｙｅ（Ｙｅｌｌｏｗ），Ｍｇ（Ｍａｇｅｎｔａ），Ｃｙ（Ｃｙａｎ），Ｇ（Ｇｒｅｅｎ）の補色の４種類のカラーフィルタがある。また、ＴＧ４は、演算手段７Ａによって制御され、撮像素子２の駆動パルスを生成し、この駆動パルスを撮像素子２に出力する。
【００３１】
前置信号処理手段５は、ＣＤＳ（相関２重サンプリング）回路と、利得調整回路とを有する。この前置信号処理手段５は、撮像素子２から入力された撮像信号をＣＤＳ回路においてＣＤＳすることによりノイズを除去し、さらに利得調整回路において撮像信号を増幅することにより撮像信号のレベルを調整し、このノイズ除去およびレベル調整した撮像信号をＡ／Ｄコンバータ６に出力する。また、Ａ／Ｄコンバータ６は、前置信号処理手段５から入力された撮像信号をアナログ信号からデジタル信号に変換し、信号処理手段８の色分離手段８ａに出力する。
【００３２】
撮像信号積算手段１０は、前置信号処理手段５から出力された撮像信号を少なくとも１フィールドごとまたは１フレームごとに積算し、積算値をアイリス制御手段１１に出力する。また、アイリス制御手段１１は、撮像信号積算手段１０による積算値すなわち平均画像レベル（ＡＰＬ：Average Picture Level）があらかじめ定められた一定レベルとなるように、アイリスドライバ３に制御信号を出力し、アイリスドライバ３によってアイリス１ａを開閉させる。また、演算手段７Ａは、撮像倍率が所望の倍率になるように、ズームレンズドライバ１２に制御信号を出力し、ズームレンズドライバ１２によってズームレンズ１ｄを移動させる。
【００３３】
信号処理手段８は、Ａ／Ｄコンバータ６から入力されたデジタルの撮像信号からＲ，Ｇ，Ｂの色信号を分離し、これらの色信号からＲ−Ｙ信号およびＢ−Ｙ信号を生成し、これらＲ−Ｙ信号およびＢ−Ｙ信号によるビデオ信号のクロミナンス信号を出力端子９に出力する。この信号処理手段８は、色分離手段８ａと、ＷＢ調整手段８ｂと、マトリクス手段８ｃと、加減算器８ｄと、色信号積算手段８ｅと、エンコーダ８ｇとを有する。なお、上記のビデオ信号を、例えばＹＵＶ信号（輝度信号であるＹ信号と、ｕｖ色度図による色差信号であるＵ信号およびＶ信号との複合信号）とすることも可能であり、この場合には、上記のクロミナンス信号は、上記Ｕ信号およびＶ信号により構成されるＵＶ信号である。
【００３４】
色分離手段８ａは、入力された撮像信号から、Ｒ信号（色信号Ｒ’）と、Ｇ信号（色信号Ｇ’）と、Ｂ信号（色信号Ｂ’）とを分離し、これらの色信号Ｒ’，Ｇ’，Ｂ’をＷＢ調整手段８ｂに出力する。
【００３５】
ＷＢ調整手段８ｂは、色信号Ｒ’の利得を調整する利得調整手段８ｂａと、色信号Ｇ’の利得を調整する利得調整手段８ｂｂと、色信号Ｂ’の利得を調整する利得調整手段８ｂｃとを有する。このＷＢ調整手段８ｂは、演算手段７ＡからのＲ信号利得値に従って利得調整手段８ｂａにおいて色信号Ｒ’を増幅または減衰させるとともに、演算手段７からのＢ信号利得値に従って利得調整手段８ｂｃにおいて色信号Ｂ’を増幅または減衰させることにより、Ｒ，Ｇ，Ｂ信号の信号レベルが互いに等しくなるように色信号Ｒ’，Ｇ’，Ｂ’のホワイトバランス（ＷＢ）を調整し、ＷＢ調整したＲ信号（色信号Ｒ）、Ｇ信号（色信号Ｇ）、Ｂ信号（色信号Ｂ）を色信号積算手段８ｅおよび加減算器８ｄに出力する。ＷＢ調整手段８ｂによるＷＢ調整は、次式（２）にて示される。
【数２】
0003880276.tif 000003
式（２）において、Ｒ’，Ｇ’、Ｂ’は、それぞれＷＢ調整手段８ｂに入力されるＲ，Ｇ，Ｂ信号であり、Ｒ，Ｇ，Ｂは、それぞれＷＢ調整手段８ｂから出力されるＷＢ調整されたＲ，Ｇ，Ｂ信号であり、ＷＢＲ，ＷＢＧ，ＷＢＢは、それぞれＲ，Ｇ，Ｂ信号のＷＢ調整係数である。一般に、ＷＢ調整は、Ｇ信号の利得を固定として調整するため、Ｇ信号のＷＢ調整係数ＷＢＧは固定値である。また、ＷＢ調整係数ＷＢＲ，ＷＢＢは、それぞれ演算手段７Ａから入力されるＲ信号利得値，Ｂ信号利得値に応じた可変の値である。
【００３６】
色信号積算手段８ｅは、ＷＢ調整された色信号Ｒ，Ｇ，Ｂをそれぞれ少なくとも１フィールドごとまたは１フレームごとに積算することにより、色信号Ｒ，Ｇ，Ｂの積算値ΣＲ，ΣＢ，ΣＧをそれぞれ算出し、これらの積算値ΣＲ，ΣＢ，ΣＧを演算手段７に出力する。
【００３７】
演算手段７Ａは、積算値ΣＲおよびΣＢが積算値ΣＧに等しくなるように、ＷＢ調整係数ＷＢＲに相当するＲ信号利得値およびＷＢ調整係数ＷＢＢに相当するＢ信号利得値をＷＢ調整手段８ｂに出力する。また、演算手段７Ａは、上記のＲ信号利得値およびＢ信号利得値に応じて補正したマトリクス係数を、マトリクス手段８ｃに出力する。
【００３８】
加減算器８ｄは、ＷＢ調整された色信号Ｒ，Ｇ，Ｂから、色差信号であるＲ−Ｇ信号（Ｒ信号とＧ信号の差信号）およびＢ−Ｇ信号（Ｂ信号とＧ信号の差信号）を生成し、マトリクス手段８ｃに出力する。
【００３９】
マトリクス手段８ｃは、入力されたＲ−Ｇ信号およびＢ−Ｇ信号から、次式（３）に示すマトリクス演算により、色差信号であるＲ−Ｙ信号（Ｒ信号と輝度信号であるＹ信号の差信号）およびＢ−Ｙ信号（Ｂ信号とＹ信号の差信号）を生成し、これらのＲ−Ｙ信号およびＢ−Ｙ信号をエンコーダ８ｇに出力する。
【数３】
0003880276.tif 000004
式（３）において、ｂ１１，ｂ１２，ｂ２１，ｂ２２はマトリクス係数である。これらのマトリクス係数ｂ１１，ｂ１２，ｂ２１，ｂ２２は、演算手段７Ａから入力される可変の値である。なお、マトリクス手段８ｃにおいて、Ｕ信号およびＶ信号を生成するようにすることも可能である。
【００４０】
加減算器８ｄおよびマトリクス手段８ｃは、演算手段７Ａからのマトリクス係数を用いたマトリクス演算により、ＷＢ調整された色信号Ｒ，Ｇ，Ｂを色差信号（ここでは、Ｒ−Ｙ信号およびＢ−Ｙ信号）に変換する変換手段を構成している。
【００４１】
図２はマトリクス手段８ｃの一構成例を示す図である。図２において、マトリクス手段８ｃは、乗算器８ｈ，８ｉ，８ｊ，８ｋと、加減算器（加算器）８ｌ，８ｍとによって実現されている。マトリクス手段８ｃには、Ｒ−Ｇ信号およびＢ−Ｇ信号が入力されるとともに、式（３）に示したマトリクス係数ｂ１１，ｂ１２，ｂ２１，ｂ２２に対応する信号が演算手段７Ａから入力される。乗算器８ｈは、Ｒ−Ｇ信号とｂ１１の信号とを乗算し、加算器８ｌに出力する。乗算器８ｉは、Ｂ−Ｇ信号とｂ１２の信号とを乗算し、加算器８ｌに出力する。加算器８ｌは、乗算器８ｈから入力された信号と、乗算器８ｉから入力された信号とを加算し、Ｒ−Ｙ信号を生成する。また、乗算器８ｋは、Ｒ−Ｇ信号とｂ２１の信号とを乗算し、加算器８ｍに出力する。乗算器８ｊは、Ｂ−Ｇ信号とｂ２２の信号とを乗算し、加算器８ｍに出力する。加算器８ｍは、乗算器８ｋから入力された信号と、乗算器８ｊから入力された信号とを加算し、Ｂ−Ｙ信号を生成する。
【００４２】
エンコーダ８ｇは、出力端子９から出力される信号が必要な信号形式となるように、Ｒ−Ｙ信号およびＢ−Ｙ信号をエンコードし、エンコードした信号を出力端子９に出力する。ここでは、Ｒ−Ｙ信号およびＢ−Ｙ信号を平衡変調してビデオ信号のクロミナンス信号を生成し、このクロミナンス信号を出力端子９に出力する。なお、上記必要な信号形式が色差信号の場合には、Ｒ−Ｙ信号およびＢ−Ｙ信号にそれぞれシンクチップなどを付加して個別に出力することも可能である。また、Ｕ信号およびＶ信号をエンコードすることも可能である。
【００４３】
ここで、図１の実施の形態１の撮像装置および図２０および図２１の従来の撮像装置を含めた一般的な撮像装置の色再現性について説明する。まず、撮像装置から出力されるＲ−Ｙ信号およびＢ−Ｙ信号は、式（３）によって求められ、式（３）にて示したＲ−Ｇ信号およびＢ−Ｇ信号を構成する色信号Ｒ，Ｇ，Ｂは、次式（４）、（５）、（６）にて示される。
【数４】
0003880276.tif 000005
式（４）、（５）、（６）において、λは波長である。Ｒ（λ），Ｇ（λ）、Ｂ（λ）は、それぞれ撮像信号のＲ，Ｇ，Ｂ成分についての撮像素子２の分光感度特性である。Ｌ（λ）は撮像時における被写体に対する照明の分光特性である。また、Ｏ（λ）は被写体の分光反射特性である。式（４）、（５）、（６）に示すように、Ｒ，Ｇ，Ｂ信号は、撮像素子２の分光感度特性Ｒ（λ），Ｇ（λ）、Ｂ（λ）と、照明の分光特性Ｌ（λ）と、被写体の分光反射特性Ｏ（λ）との乗算値の全波長域による積算値として求められる。
【００４４】
図３はＲ，Ｇ，Ｂ成分についての撮像素子２の分光感度特性の一例を示す図である。図３において、分光感度は、Ｇ成分についての分光感度のピーク値を１．０とした相対的な分光感度である。また、図４はハロゲンランプや太陽光などに代表される演色性の良い（撮像装置での色再現性が良い）照明の分光特性の一例であり、図５は演色性が図４の照明よりも劣る蛍光灯などに代表される照明の分光特性の一例である。図４および図５において、分光レベルは、全波長域でのピーク値を１．０とした相対的な分光レベルである。図５に示した蛍光灯などに代表される照明は、輝線スペクトルの組み合わせによって構成されているため、図４に示したハロゲンランプや太陽光などに代表される照明よりも演色性が劣る。図４の照明下にて得られた得有象信号の色再現性は、図５の照明下にて得られた映像信号の色再現性と必ずしも一致しない。
【００４５】
撮像装置では、図４のような標準光源の照明下において得られる映像信号の色再現性が設計目標としている色再現性になるように、撮像素子２の分光感度特性（図３参照）およびマトリクス手段８ｃのマトリクス係数（実施の形態１の撮像装置では式（３）のｂ１１，ｂ１２，ｂ２１，ｂ２２、従来の撮像装置では式（１）のａ１１，ａ１２，ａ２１，ａ２２）をあらかじめ定めておく。例えば、ＮＴＳＣ方式の場合には、ＮＴＳＣ方式にて規定された標準光源の照明下での撮像装置の分光応答度がＮＴＳＣ方式にて規定された等色関数に近くなるように、撮像素子２の分光感度特性およびマトリクス手段８ｃのマトリクス係数をあらかじめ定めておく。従って、被写体がＮＴＳＣ方式にて規定された上記の標準光源で照射された場合は、理想的な色再現性が得られる。
【００４６】
また、上記標準の照明とは分光特性が異なる図５のような照明下においては、マトリクス手段８ｃのマトリクス係数を調整することにより、得られるＲ，Ｇ，Ｂ信号を、図４のような照明下において得られるＲ，Ｇ，Ｂ信号に等しくすることができる（これをメタメリズムと呼んでいる）。メタメリズムは、全ての照明の分光特性に対して常に同一とならない場合もあるが、それに近似させるように照明に応じて上記マトリクス係数を変化させることで色再現性を改善することはできる。図２１の従来の撮像装置は、外光センサ１３から得られた照明のＲ，Ｇ，Ｂ比をもとにマトリクス係数を調整し、色再現性を補正するものであった。
【００４７】
次に、実施の形態１の撮像装置における色再現性の補正動作（改善動作）について説明する。図６は本発明の実施の形態１の撮像装置における色再現性の補正手順を説明するフローチャートである。図６の手順は、ＷＢ調整ステップＷＢＳ（ステップＳ１〜Ｓ８）と、マトリクス補正ステップＭＣＳ（ステップＳ９〜Ｓ１１）とを含んでいる。
【００４８】
演算手段７Ａは、数値を“１”ずつアップまたはダウンさせるアップダウンカウンタの役割をする手段を、Ｒ信号およびＢ信号に対して１つずつ内部に有する。Ｒ信号のアップダウンカウンタの値をＵＤＣＲとし、Ｂ信号のアップダウンカウンタの値をＵＤＣＢとする。演算手段７Ａは、カウンタ値ＵＤＣＲをＲ信号利得値としてＷＢ調整手段８ｂの信号利得調整手段８ｂａに出力し、カウンタ値ＵＤＣＢをＢ信号利得値としてＷＢ調整手段８ｂの信号利得調整手段８ｂｃに出力する。
【００４９】
また、ＷＢ調整手段８ｂは、色分離手段８ａから入力された色信号Ｒ’，Ｇ’，Ｂ’を、演算手段７Ａから入力されたＲ，Ｂ信号利得値ＵＤＣＲ，ＵＤＣＢに応じたＷＢ調整係数ＷＢＲ，ＷＢＢ、および固定値のＷＢ調整係数ＷＢＧを用いて、式（２）に従ってＷＢ調整し、ＷＢ調整された色信号Ｒ，Ｇ，Ｂを生成する。ここでは、説明を簡単にするため、Ｒ信号利得値ＵＤＣＲ＝ＷＢ調整係数ＷＢＲ、Ｂ信号利得値ＵＤＣＢ＝ＷＢ調整係数ＷＢＢとする。信号利得調整手段８ｂａは、Ｒ信号利得値ＵＤＣＲ（＝ＷＢ調整係数ＷＢＲ）に従ってＲ信号の利得を増減させ、信号利得調整手段８ｂｃは、Ｂ信号利得値ＵＤＣＢ（＝ＷＢ調整係数ＷＢＢ）に従ってＢ信号の利得を増減させる。なお、信号利得調整手段８ｂｂは、固定値のＷＢ調整係数ＷＢＲに従ってＧ信号の利得を一定とする。一定利得のＧ信号に対し、ＵＤＣＲおよびＵＤＣＢの値が小さくなれば、ＷＢ調整係数ＷＢＲ，ＷＢＢの値も小さくなり、従ってＲ信号およびＢ信号の利得は小さくなる。また、ＵＤＣＲおよびＵＤＣＢの値が大きくなれば、ＷＢ調整係数ＷＢＲ，ＷＢＢの値も大きくなり、Ｒ信号およびＢ信号の利得は大きくなる。
【００５０】
図６のＷＢ調整ステップ（ステップＳ１〜Ｓ９）について以下に説明する。まず、ステップＳ１において、演算手段７Ａは、ＷＢ調整手段８ａの信号利得調整手段８ｂａ，８ｂｃにＲ，Ｂ信号利得値（カウンタ値）ＵＤＣＲ，ＵＤＣＢの初期値ＷＢＲ０，ＷＢＢ０を出力する。これにより、信号利得調整手段８ｂａは、Ｒ信号利得を初期値ＷＢＲ０に従って設定し、信号利得調整手段８ｂｃは、Ｂ信号利得を初期値ＷＢＢ０に従って設定する。
【００５１】
次に、ステップＳ２において、積算手段８ｃは、ＷＢ調整された色信号Ｒ，Ｇ，Ｂを、それぞれ映像１画面に相当する１フィールドまたは１フレーム以上ごとに積算し、これらの積算値ΣＲ，ΣＧ，ΣＢを演算手段７Ｂに出力する。
【００５２】
次に、演算手段７Ａは、ステップＳ３において、積算値ΣＲとΣＧを比較する。そして、Ｒ信号の積算値ΣＲがＧ信号の積算値ΣＧより小さければ、ステップＳ４において、カウンタ値（Ｒ信号利得値）ＵＤＣＲをあらかじめ定められた一定の値ｉだけアップ（増加）させる。これはＷＢ調整手段８ｂでのＲ信号利得を増加させることに相当する。また、Ｒ信号の積算値ΣＲがＧ信号の積算値ΣＧより大きければ、ステップＳ５において、カウンタ値（Ｒ信号利得値）ＵＤＣＲをあらかじめ定められた一定の値ｉだけダウン（減少）させる。これはＷＢ調整手段８ｂでのＲ信号利得を減少させることに相当する。
【００５３】
次に、演算手段７Ａは、ステップＳ６において、積算値ΣＢとΣＧを比較する。そして、Ｂ信号の積算値ΣＢがＧ信号の積算値ΣＧより小さければ、ステップＳ７において、カウンタ値（Ｂ信号利得値）ＵＤＣＢをあらかじめ定められた一定の値ｊだけアップ（増加）させる。これはＷＢ調整手段８ｂでのＢ信号利得を増加させることに相当する。また、Ｂ信号の積算値ΣＢがＧ信号の積算値ΣＧより大きければ、ステップＳ８において、カウンタ値（Ｂ信号利得値）ＵＤＣＢをあらかじめ定められた一定の値ｊだけダウン（減少）させる。これはＷＢ調整手段８ｂでのＢ信号利得を減少させることに相当する。
【００５４】
上記のＷＢ調整ステップＷＢＳのステップＳ２〜Ｓ８を、あとで説明するマトリクス補正ステップＭＣＳ（ステップＳ９〜Ｓ１４）を間に挟みながら、繰り返すことにより、積算値ΣＲ，ΣＧ，ΣＢがほぼ等しくなるように、撮像信号から色分離された信号Ｒ’およびＢ’の信号利得を調整し、Ｒ，Ｇ，Ｂ信号のレベルがほぼ等しくなるようにＲ，Ｇ，Ｂ信号のＷＢを調整する。ＷＢ調整完了時以降においては（Ｒ，Ｇ，Ｂ信号のレベルがほぼ等しくなったあとにおいては）、上記のＷＢ調整ステップごとに、上記アップダウンカウンタは、アップ動作とダウン動作を交互に繰り返すこととなり、カウンタ値ＵＤＣＲおよびＵＤＣＢは、それぞれＷＢ調整完了時の値に収束する。
【００５５】
図６のマトリクス補正ステップＭＣＳ（ステップＳ９〜Ｓ１４）を説明する前に、上記のＵＤＣＲ，ＵＤＣＢの値と照明（光源）の種類（演色性や色温度などを含む）との関連、およびＲ，Ｂ信号利得値ＵＤＣＲ，ＵＤＣＢの調整範囲の制限について以下に説明する。図７はＵＤＣＲ，ＵＤＣＢの値と照明（光源）の種類との関連、およびＵＤＣＲ，ＵＤＣＢの調整範囲を示す図である。
【００５６】
一般に、ハロゲンランプ、太陽光（演色性Ｒａ＝１００）、標準光源（例えば、ＪＩＳ  Ｚ８７２０のＡ，Ｃ，Ｄ５０，Ｄ５５光源）などの演色性の非常に高い照明を用いた場合、照明の色温度と、ＷＢ調整完了時のＵＤＣＲ，ＵＤＣＢの値との関係は、図７の曲線Ｌに示すようになる。例えば、図７のＭ点は、色温度３０００［Ｋ（ケルビン）］の太陽光（赤っぽい、夕焼け等）においてＷＢ調整したときのＵＤＣＲ，ＵＤＣＢの値であり、図７のＮ点は、色温度５８００［Ｋ］の太陽光（青っぽい、晴天光下等）においてＷＢ調整したときのＵＤＣＲ，ＵＤＣＢの値である。
【００５７】
実施の形態１の撮像装置や図１９および図２０の従来の撮像装置でのＷＢ調整は、撮像した画面全てを積算すると無彩色になるということを前提としたものであり、一般にＴＴＬ方式と呼ばれている。ＴＴＬ方式のＷＢ調整は、被写体が単一色である場合や、ある特定の色が被写体中の大部分を占める場合には、色が薄くなったり、ＷＢ調整に誤差を生じるという問題がある。そのため、ＴＴＬ方式のＷＢ調整を採用している撮像装置では、ＷＢ調整におけるＵＤＣＲ，ＵＤＣＢの調整範囲に制限を設け、上記の問題を避け、ＷＢ調整の精度を上げている。
【００５８】
図７では、領域ＡＢＣＤＥＦ内がＷＢ調整におけるＵＤＣＲ，ＵＤＣＢの調整範囲である。従って、ＷＢ調整において、上記の調整範囲内の値のみがＵＤＣＲ，ＵＤＣＢの調整値として許容され、上記の調整範囲内からはずれた値にＵＤＣＲ，ＵＤＣＢを調整することは禁止され、上記の調整範囲がＵＤＣＲ，ＵＤＣＢの追従範囲となる。上記の調整範囲は、いろいろな照明下において白色の被写体を撮像した場合においてＵＤＣＲ，ＵＤＣＢがとり得る値の範囲をもとに、あらかじめ定められたものである。図７の調整範囲ＡＢＣＤＥＦでは、太陽光における色温度のＷＢ追従範囲は、２８００［Ｋ］（Ａ点）から８０００［Ｋ］（Ｄ点）までである。
【００５９】
図７において、被写体がＧ（Ｇｒｅｅｎ）であるほど、ＷＢ調整におけるＵＤＣＲ，ＵＤＣＢの値は右上方向に向かい、被写体がＭｇ（Ｍａｇｅｎｔａ）であるほど、ＷＢ調整におけるＵＤＣＲ，ＵＤＣＢの値は左下方向に向かう。また、通常、照明光の発光効率からＭｇの照明は存在せず、演色性が悪い照明ほど、その色はＧの方向に向かう。従って、演色性が悪い照明ほど、ＷＢ調整におけるＵＤＣＲ，ＵＤＣＢの値は右上方向に向かう。図７の領域ＡＤＫＨは、３波長型蛍光灯など比較的演色性の良い（ただし、領域ＡＢＣＤよりも演色性が劣る）照明下で白色を撮像したときにおけるＷＢ調整完了時のＵＤＣＲ，ＵＤＣＢの値の範囲である。また、図７の領域ＨＫＥＦは、演色性が３波長型蛍光灯に比較して劣る白色蛍光灯などの照明下で白色を撮像したときにおけるＷＢ調整完了時のＵＤＣＲ，ＵＤＣＢの値の範囲である。
【００６０】
ＷＢ調整は、ＷＢ調整動作（図６のＷＢ調整ステップＷＢＳのステップＳ２〜Ｓ９）を繰り返すことによって完了し、ＷＢがとれたＲ，Ｇ，Ｂ信号が得られる。ＷＢ調整の完了時以降は、ＵＤＣＲ，ＵＤＣＢは照明の種類に応じた値に収束する。上記のＵＤＣＲ，ＵＤＣＢは演算手段７Ａによって生成されるのであるから、図７の領域ＡＢＣＤ、領域ＡＤＫＨ、領域ＨＫＥＦについてのデータをあらかじめ演算手段７Ａに設定しておけば、演算手段７Ａは、ＷＢ調整完了時のＵＤＣＲ，ＵＤＣＢの値（ＷＢがとれているときのＵＤＣＲ，ＵＤＣＢの収束値）が、図７の領域ＡＢＣＤ、領域ＡＤＫＨ、領域ＨＫＥＦのいずれの領域内に位置するかを判別することができる。従って、ＷＢ調整完了時のＵＤＣＲ，ＵＤＣＢの値をもとに、照明の種類を判別することが可能である。
【００６１】
図８はＷＢ調整におけるＵＤＣＲ，ＵＤＣＢの値の変化および収束例を示す図である。この図８は、ＵＤＣＲ，ＵＤＣＢの初期値ＷＢＲ０，ＷＢＢ０（図６のステップＳ１参照）を（ＵＤＣＲ，ＵＤＣＢ）＝（ＷＢＲ０，ＷＢＢ０）＝（１４０，１４０）（図７および図８のＳ点）とし、ｉ＝１（図６のステップＳ４，Ｓ５参照），ｊ＝１（図６のステップＳ７，Ｓ８参照）とし、図６のＷＢ調整動作（図６のＷＢ調整ステップＷＢＳのステップＳ２〜Ｓ８）を２０回繰り返したとき、ＵＤＣＲ，ＵＤＣＢの値が（ＵＤＣＲ，ＵＤＣＢ）＝（１６０，１６０）（図８のＰ点）に変化し、２０回目以降のＷＢ調整動作において、ＵＤＣＲ，ＵＤＣＢの値が（ＵＤＣＲ，ＵＤＣＢ）＝（１６０，１６０）に収束した様子を示すものである。このとき、撮影に用いられた照明は、白色蛍光灯、または演色性が白色蛍光灯と同様の照明であることが判る。
【００６２】
この実施の形態１の撮像装置では、ＷＢ調整のＵＤＣＲ，ＵＤＣＢの値に応じてマトリクス係数ｂ１１，ｂ１２，ｂ２１，ｂ２２を補正する。さらに詳細には、調整範囲を複数の領域に区分し、（ＵＤＣＲ，ＵＤＣＢ）がどの領域に位置しているかを判別し、（ＵＤＣＲ，ＵＤＣＢ）が位置している領域に応じてマトリクス係数ｂ１１，ｂ１２，ｂ２１，ｂ２２を補正する。
【００６３】
図９は本発明の実施の形態１の撮像装置におけるＵＤＣＲ，ＵＤＣＢの調整範囲の領域区分の一例を示す図である。図９では、領域ＡＢＣＤＥＦを調整範囲としており（図７と同じ）、この調整範囲を、領域ａ，領域ｂ、領域ｃ，および領域ｓ（＝領域ＡＢＣＤＰＱ）に区分している。図９では、領域ｓ→領域ａ→領域ｂ→領域ｃの順序で照明の演色性が悪くなる。上記の調整範囲、および上記の領域ａ，ｂ，ｃ，ｓについてのデータは、あらかじめ演算手段７Ａに設定されている。演算手段７Ａは、（ＵＤＣＲ，ＵＲＣＢ）が、領域ａ，ｂ，ｃ，ｓのいずれかの領域内に位置しているかを判別し、領域ａ，ｂ，ｃのいずれかの領域内に位置していれば、その領域に応じた補正値でマトリクス係数ｂ１１，ｂ１２，ｂ２１，ｂ２２を補正する。また、演算手段７Ａは、（ＵＤＣＲ，ＵＲＣＢ）が、領域ｓ内に位置していれば、マトリクス係数ｂ１１，ｂ１２，ｂ２１，ｂ２２を初期値のまま補正しない。
【００６４】
図１０は本発明の実施の形態１の撮像装置における図９の領域ａ，ｂ，ｃに応じたマトリクス係数の補正値の一例を示す図である。図１０のように、演算手段７Ａは、（ＵＤＣＲ，ＵＲＣＢ）の値が領域ａ内に位置するとき、マトリクス係数ｂ１１の初期値に補正値Δｂ１１＝“＋２”を加算し、ｂ１２の初期値に補正値Δｂ１２＝“０”を加算し（ｂ１２は補正せず、初期値のままとする）、ｂ２１の初期値に補正値Δｂ２１＝“−１”を加算し、ｂ２２の初期値に補正値Δｂ２２＝“０”を加算し（ｂ２２は補正せず、初期値のままとする）、これらの補正したマトリクス係数ｂ１１，ｂ１２，ｂ２１，ｂ２２をマトリクス手段８ｃに出力する。また、演算手段７Ａは、（ＵＤＣＲ，ＵＲＣＢ）の値が領域ｂ内に位置するとき、マトリクス係数ｂ１１の初期値に補正値Δｂ１１＝“＋４”を加算し、ｂ１２の初期値に補正値Δｂ１２＝“０”を加算し（ｂ１２は補正せず、初期値のままとする）、ｂ２１の初期値に補正値Δｂ２１＝“−２”を加算し、ｂ２２の初期値に補正値Δｂ２２＝“０”を加算し（ｂ２２は補正せず、初期値のままとする）、これらの補正したマトリクス係数ｂ１１，ｂ１２，ｂ２１，ｂ２２をマトリクス手段８ｃに出力する。また、演算手段７Ａは、（ＵＤＣＲ，ＵＲＣＢ）の値が領域ｃ内に位置するとき、マトリクス係数ｂ１１の初期値に補正値Δｂ１１＝“＋６”を加算し、ｂ１２の初期値に補正値Δｂ１２＝“＋１”を加算し、ｂ２１の初期値に補正値Δｂ２１“−３”を加算し、ｂ２２の初期値に補正値Δｂ２２＝“０”を加算し（ｂ２２は補正せず、初期値のままとする）、これらの補正したマトリクス係数ｂ１１，ｂ１２，ｂ２１，ｂ２２をマトリクス手段８ｃに出力する。なお、（ＵＤＣＲ，ＵＲＣＢ）の値が領域ａ，ｂ，ｃのいずれの領域内にも位置しないとき、つまり図９の領域ｓ（＝領域ＡＢＣＤＰＱ）内に位置するとき、演算手段７Ａは、マトリクス係数ｂ１１，ｂ１２，ｂ２１，ｂ２２の初期値をマトリクス手段８ｃに出力する。
【００６５】
図６のマトリクス補正ステップＭＣＳ（ステップＳ９〜Ｓ１４）について以下に説明する。まず、ステップＳ９において、演算手段７Ａは、（ＵＤＣＲ，ＵＲＣＢ）が図９の領域ａ内に位置するか否かを判別する。そして、領域ａ内に位置していなければ、ステップＳ１１に進む。また、領域ａ内に位置していれば、演算手段７Ａは、ステップＳ１０において、あからじめ設定されたマトリクス係数ｂ１１，ｂ１２，ｂ２１，ｂ２２の初期値に、それぞれ個別の補正値（例えば、図１０に示す領域ａの補正値）を加減算し、補正したマトリクス係数ｂ１１，ｂ１２，ｂ２１，ｂ２２をマトリクス手段８ｃに出力し、ＷＢ調整ステップＷＢＳのステップＳ２に戻る。
【００６６】
上記ステップＳ９で（ＵＤＣＲ，ＵＲＣＢ）が領域ａ内に位置していなければ、ステップＳ１１において、演算手段７Ａは、（ＵＤＣＲ，ＵＲＣＢ）が図９の領域Ｂ内に位置するか否かを判別する。そして、領域ｂ内に位置していなければ、ステップＳ１３に進む。また、領域ｂ内に位置していれば、演算手段７Ａは、ステップＳ１２において、あからじめ設定されたマトリクス係数ｂ１１，ｂ１２，ｂ２１，ｂ２２の初期値に、それぞれ個別の補正値（例えば、図１０に示す領域ｂの補正値）を加減算し、補正したマトリクス係数ｂ１１，ｂ１２，ｂ２１，ｂ２２をマトリクス手段８ｃに出力し、ＷＢ調整ステップＷＢＳのステップＳ２に戻る。
【００６７】
上記ステップＳ１１で（ＵＤＣＲ，ＵＲＣＢ）が領域ｂ内に位置していなければ、ステップＳ１３において、演算手段７Ａは、（ＵＤＣＲ，ＵＲＣＢ）が図９の領域ｃ内に位置するか否かを判別する。そして、領域ｃ内に位置していなければ、つまり領域ｓ内に位置していれば、演算手段７Ａは、マトリクス係数ｂ１１，ｂ１２，ｂ２１，ｂ２２の初期値をマトリクス手段８ｃに出力し、ＷＢ調整ステップＷＢＳのステップＳ２に戻る。また、領域ｃ内に位置していれば、演算手段７Ａは、ステップＳ１４において、あからじめ設定されたマトリクス係数ｂ１１，ｂ１２，ｂ２１，ｂ２２の初期値に、それぞれ個別の補正値（例えば、図１０に示す領域ｃの補正値）を加減算し、補正したマトリクス係数ｂ１１，ｂ１２，ｂ２１，ｂ２２をマトリクス手段８ｃに出力し、ＷＢ調整ステップＷＢＳのステップＳ２に戻る。
【００６８】
太陽光下で撮像したときのＲ（Ｒｅｄ），Ｙｅ（Ｙｅｌｌｏｗ）が図１１に示す色再現性であったとき、白色蛍光灯下で撮像したときのＲ，Ｙｅの色再現性は図１２に示すようになる。通常、演色性が悪い照明ほど、赤みが減り、黄色みが増すかまたは緑っぽい色再現性となる。そのため、図１２に示す色再現性となる白色蛍光灯下でのＷＢ調整完了時のＲ，Ｂ信号の利得（ＵＤＣＲ，ＵＲＣＢ）が、図９の領域ｂ内に位置するならば、Ｒ−Ｙ信号の利得に対応するマトリクス係数ｂ１１を大きくなるように補正し、Ｂ−Ｙ信号の利得に対応するマトリクス係数ｂ２２を小さくなるように補正することにより、図１２に示した色再現を図１１に示した色再現に近づけることができ、演色性を良くするように色再現性を補正することができる。
【００６９】
このように実施の形態１によれば、ＷＢ調整のＲ，Ｂ信号利得値ＵＤＣＲ，ＵＤＣＢに応じてマトリクス係数ｂ１１，ｂ１２，ｂ２１，ｂ２２を補正することにより、新たに外部センサを設けることなく、演色性の悪い照明を含めた様々な照明に応じて色再現性を適正に補正ができ、色再現性の良好な画像が得ることができる。また、外部センサを設ける場合よりも、装置の小型化や意匠についての自由度を大きくでき、低コストにすることが可能である。
【００７０】
なお、上記実施の形態１では、図９に示したように、Ｒ，Ｂ信号の利得（ＵＤＣＲ，ＵＲＣＢ）の調整範囲を領域ａ，ｂ，ｃ，ｓの４つに区分したが、上記調整範囲を２個、３個、または５個以上の領域に区分しても同様の効果を得ることができる。また、マトリクス補正値Δｂ１１，Δｂ１２，Δｂ２１，Δｂ２２についても、マトリクス係数ｂ１１，ｂ１２，ｂ２１，ｂ２２の初期値に加減算するのではなく、上記初期値に乗除算することも可能である。ただし、加減算による補正のほうが演算手段７Ａの処理負担が軽減されることは言うまでもない。
【００７１】
実施の形態２．
先に説明したように、ＴＴＬ方式のＷＢ調整では、被写体が単一色の場合や、ある特定の色が被写体の大部分を占める場合には、ＷＢ調整に誤差を生じる。このため、ＴＴＬ方式のＷＢ調整を採用した上記実施の形態１の撮像装置では、ＷＢ調整におけるＵＤＣＲ，ＵＤＣＢの調整範囲を制限することにより、ＷＢ調整の精度を上げている。しかし、アイリス１ａの開口率小さい場合や、被写体の撮像倍率が高い場合には、ＵＤＣＲ，ＵＤＣＢの調整範囲を制限しても、ＷＢ調整の精度が低下することがあり、このＷＢ調整の精度が低下によって、上記実施の形態１の撮像装置においても、色再現性の補正精度が低下することがある。
【００７２】
そこで、実施の形態２の撮像装置は、上記実施の形態１の撮像装置において、ＷＢ調整のＵＤＣＲ，ＵＤＣＢの値に応じたマトリクス補正値Δｂ１１，Δｂ１２，Δｂ２１，Δｂ２２（図１０参照）を、アイリス１ａの開口率に応じて、あるいは被写体の撮像倍率に応じて、あるいはアイリス１ａの開口率および被写体の撮像倍率に応じて、補正することにより、アイリス１ａの開口率小さい場合や、被写体の撮像倍率が高い場合の色再現性の誤補正を防止することを特徴とするものである。つまり、実施の形態２の撮像装置は、ＷＢ調整のＵＤＣＲ，ＵＤＣＢの値およびアイリス１ａの開口率に応じて、あるいはＷＢ調整のＵＤＣＲ，ＵＤＣＢの値および撮像倍率に応じて、あるいはＷＢ調整のＵＤＣＲ，ＵＤＣＢの値、アイリス１ａの開口率、および撮像倍率に応じて、マトリクス係数ｂ１１，ｂ１２，ｂ２１，ｂ２２を補正することにより、アイリス１ａの開口率小さい場合や、被写体の撮像倍率が高い場合の色再現性の誤補正を防止することを特徴とするものである。
【００７３】
図１３は本発明の実施の形態２の撮像装置の構成図である。図１３において、１Ａはレンズユニット、１ｃはセンサ、７Ｂは演算手段であり、図１と同じものには同じ符号を付してある。このように実施の形態２の撮像装置は、上記実施の形態１の撮像装置（図１参照）において、レンズユニット１をレンズユニット１Ａとし、演算手段７Ａを演算手段７Ｂとしたものである。
【００７４】
レンズユニット１Ａは、図１のレンズユニット１において、センサ１ｃを設けたものである。センサ１ｃは、アイリス１ａの開口率を検知するセンサであり、アイリス１ａの開口率に応じた電圧信号を演算手段７Ｂに出力する。このセンサ１ｃは、レンズユニット１Ａ内に設けられており、例えばホール素子などにより実現することができる。
【００７５】
演算手段７Ｂは、上記実施の形態１の演算手段７Ａにおいて、ＷＢ調整のＵＤＣＲ，ＵＤＣＢの値およびアイリス１ａの開口率に応じて、あるいはＷＢ調整のＵＤＣＲ，ＵＤＣＢの値および撮像倍率に応じて、あるいはＷＢ調整のＵＤＣＲ，ＵＤＣＢの値、アイリス１ａの開口率、および撮像倍率に応じて、マトリクス係数ｂ１１，ｂ１２，ｂ２１，ｂ２２を補正するものである。この演算手段７Ｂは、センサ１ｃから入力される信号によってアイリス１ａの開口率を認識することができる。また、演算手段７Ｂは、ズームレンズドライバ１２に制御信号を送ることでズームレンズ１ｄを駆動するため、上記の制御信号によってズームレンズ１ｄの位置を認識することができ、このズームレンズ１ｄの位置から被写体の撮像倍率を認識することができる。
【００７６】
まず、ＷＢ調整のＵＤＣＲ，ＵＤＣＢの値およびアイリス１ａの開口率に応じたマトリクス補正手順について以下に説明する。演算手段７Ｂは、センサ１ｃから入力される信号によってアイリス１ａの開口率を認識することができるとともに、図１０のようなＵＤＣＲ，ＵＤＣＢの調整範囲の領域ごとのマトリクス補正値Δｂ１１，Δｂ１２，Δｂ２１，Δｂ２２をあらかじめ備えている。さらに、演算手段７Ｂは、図１４に示すＬＵＴ（Look Up Table）を備えている。図１４のＬＵＴにおいて、係数Ｉは、アイリス１ａの開口率が大きくなるにつれて（Ｆナンバーが小さくなるにつれて）、その値が小さくなるようにあらかじめ定められている。
【００７７】
演算手段７Ｂは、図１４のＬＵＴから、アイリス１ａの開口率に応じた係数Ｉを求め、求めた係数Ｉを用いて、マトリクス補正値Δｂ１１，Δｂ１２，Δｂ２１，Δｂ２２に次式に示す演算を施す。
Δｂ１１←Δｂ１１／Ｉ…（８）
Δｂ１２←Δｂ１２／Ｉ…（９）
Δｂ２１←Δｂ２１／Ｉ…（１０）
Δｂ２２←Δｂ２２／Ｉ…（１１）
【００７８】
ＴＴＬ方式のＷＢ調整では、アイリス１ａの開口率が小さくなると、ＵＤＣＲ，ＵＤＣＢの調整範囲を制限しても、ＷＢ調整の精度が低下することがある。これに対し、実施の形態２の撮像装置では、式（８）〜式（１１）から判るように、マトリクス補正値Δｂ１１〜Δｂ２２を、アイリス１ａの開口率が小さくなるにつれて（アイリス１ａが閉じるにつれて）、小さな値にする。つまり、（ＵＤＣＲ，ＵＤＣＢ）が図９の領域ａ内に位置する場合、領域ｂ内に位置する場合、領域ｃ内に位置する場合のそれぞれにおいて、アイリス１ａの開口率が小さくなるほど、マトリクス係数ｂ１１〜ｂ２２の補正量を小さくする。一般に、蛍光灯や水銀ランプなどの人工光下での被写体の照度は、太陽光下での被写体の照度によりも小さい。このため、アイリス１ａが閉じるほど、太陽光下での撮影である可能性が高くなる。太陽光下では、マトリクス係数の補正は必要ない。そこで、実施の形態２の撮像装置では、アイリス１ａが閉じるほどマトリクス係数の補正量を小さくすることにより、ＷＢ調整の精度低下による誤った色補正を防止している。
【００７９】
次に、ＷＢ調整のＵＤＣＲ，ＵＤＣＢの値および撮像倍率に応じたマトリクス補正手順について以下に説明する。演算手段７Ｂは、ズームレンズドライバ１２に送る制御信号によって被写体の撮像倍率を認識することができるとともに、図１０のようなＵＤＣＲ，ＵＤＣＢの調整範囲の領域ごとのマトリクス補正値Δｂ１１，Δｂ１２，Δｂ２１，Δｂ２２をあらかじめ備えている。さらに、演算手段７Ｂは、図１５に示すＬＵＴを備えている。図１５のＬＵＴにおいて、係数ｚは、撮像倍率（ＺＯＯＭ率）が大きくなるにつれて、その値が大きくなるようにあらかじめ定められている。
【００８０】
演算手段７Ｂは、図１５のＬＵＴから、撮像倍率に応じた係数ｚを求め、求めた係数ｚを用いて、マトリクス補正値Δｂ１１，Δｂ１２，Δｂ２１，Δｂ２２に次式に示す演算を施す。
Δｂ１１←Δｂ１１／ｚ…（１２）
Δｂ１２←Δｂ１２／ｚ…（１３）
Δｂ２１←Δｂ２１／ｚ…（１４）
Δｂ２２←Δｂ２２／ｚ…（１５）
【００８１】
被写体の撮像倍率が大きくなるにつれて、被写体の一部のみが撮像されていくため、単一色が大部分を占める可能性が高くなる。このため、ＴＴＬ方式のＷＢ調整では、被写体の撮像倍率が大きくなると、ＵＤＣＲ，ＵＤＣＢの調整範囲を制限しても、ＷＢ調整の精度が低下することがある。これに対し、実施の形態２の撮像装置では、式（１２）〜式（１５）から判るように、マトリクス補正値Δｂ１１〜Δｂ２２を、撮像倍率が大きくなるにつれて、小さな値にする。つまり、（ＵＤＣＲ，ＵＤＣＢ）が図９の領域ａ内に位置する場合、領域ｂ内に位置する場合、領域ｃ内に位置する場合のそれぞれにおいて、撮像倍率が大きくなるほど、マトリクス係数ｂ１１〜ｂ２２の補正量を小さくすることにより、ＷＢ調整の精度低下による誤った色補正を防止している。
【００８２】
次に、ＷＢ調整のＵＤＣＲ，ＵＤＣＢの値、アイリス１ａの開口率、および撮像倍率に応じたマトリクス補正手順について以下に説明する。演算手段７Ｂは、センサ１ｃから入力される信号によってアイリス１ａの開口率を認識することができ、ズームレンズドライバ１２に送る制御信号によって被写体の撮像倍率を認識することができるとともに、図１０のようなＵＤＣＲ，ＵＤＣＢの調整範囲の領域ごとのマトリクス補正値Δｂ１１，Δｂ１２，Δｂ２１，Δｂ２２をあらかじめ備えている。さらに、演算手段７Ｂは、アイリス１ａの開口率についての係数ＩのＬＵＴ（図１４参照）と、および撮像倍率についての係数ｚのＬＵＴ（図１５参照）とを備えている。
【００８３】
演算手段７Ｂは、図１４のＬＵＴからアイリス１ａの開口率に応じた係数Ｉを求めるとともに、図１５のＬＵＴから撮像倍率に応じた係数ｚを求める、求めた係数Ｉおよびｚを用いて、マトリクス補正値Δｂ１１，Δｂ１２，Δｂ２１，Δｂ２２に次式に示す演算を施す。
Δｂ１１←Δｂ１１／（Ｉ×ｚ）…（１６）
Δｂ１２←Δｂ１２／（Ｉ×ｚ）…（１７）
Δｂ２１←Δｂ２１／（Ｉ×ｚ）…（１８）
Δｂ２２←Δｂ２２／（Ｉ×ｚ）…（１９）
【００８４】
式（１６）〜式（１９）から判るように、マトリクス補正値Δｂ１１〜Δｂ２２を、アイリス１ａの開口率が小さくなりかつ撮像倍率が大きくなるにつれて、小さな値にする。つまり、（ＵＤＣＲ，ＵＤＣＢ）が図９の領域ａ内に位置する場合、領域ｂ内に位置する場合、領域ｃ内に位置する場合のそれぞれにおいて、アイリス１ａの開口率が小さくなりかつ撮像倍率が大きくなるほど、マトリクス係数ｂ１１〜ｂ２２の補正量を小さくすることより、ＷＢ調整の精度低下による誤った色補正を防止している。
【００８５】
このように実施の形態２によれば、ＷＢ調整のＲ，Ｂ信号利得値ＵＤＣＲ，ＵＤＣＢおよびアイリス１ａの開口率に応じてマトリクス係数ｂ１１，ｂ１２，ｂ２１，ｂ２２を補正することにより、アイリス１ａの開口率が小さい場合にも、ＷＢ調整の精度低下を防止することができるので、ＷＢ調整の精度低下による色再現性の誤補正を防止し、色再現性の良好な画像が得ることができる。また、ＷＢ調整のＲ，Ｂ信号利得値ＵＤＣＲ，ＵＤＣＢおよび被写体の撮像倍率に応じてマトリクス係数ｂ１１，ｂ１２，ｂ２１，ｂ２２を補正することにより、撮像倍率が大きい場合にも、ＷＢ調整の精度低下を防止することができるので、ＷＢ調整の精度低下による色再現性の誤補正を防止し、色再現性の良好な画像が得ることができる。
【００８６】
なお、上記実施の形態２では、式（８）〜（１５）のように、マトリクス補正値Δｂ１１〜Δｂ２２を、アイリス１ａの開口率に応じた係数Ｉ、撮像倍率に応じた係数ｚで除算していたが、マトリクス補正値Δｂ１１〜Δｂ２２に係数Ｉ，ｚを加減算することも可能である。ただし、係数ＩのＵＬＴおよび係数ｚのＵＬＴを加減算に対応するように構成しておくことが必要である。加減算による補正のほうが演算手段７Ｂの処理負担が軽減されることは言うまでもない。
【００８７】
実施の形態３．
図１６は本発明の実施の形態３による撮像装置の構成図である。図１６において、７Ｃは演算手段であり、図１３と同じものには同じ符号を付してある。図１６のように、実施の形態３の撮像装置は、上記実施の形態２の撮像装置（図１３参照）において、演算手段７Ｂを演算手段７Ｃとし、撮像信号積算手段１０およびアイリス制御手段１１を削除し、アイリスドライバ３を演算手段７Ｃによって制御するようにしたものである。
【００８８】
演算手段７Ｃは、上記実施の形態２の演算手段７Ｂにおいて、色信号積算手段８ｅによる積算値ΣＲ、ΣＧ、ΣＢから撮像した画像の明るさＬ（例えば、Ｌ＝ΣＲ＋ΣＧ＋ΣＢ）を算出し、このＬの値すなわち平均画像レベル（ＡＰＬ）があらかじめ定められた一定レベルとなるように、アイリスドライバ３に制御信号を出力し、アイリスドライバ３によってアイリス１ａを開閉させる。この実施の形態３の撮像装置では、色再現性について、上記実施の形態２の撮像装置と同様の効果を実現することができる。
【００８９】
このように実施の形態３によれば、アイリスドライバ３を演算手段７Ｃによって制御することにより、撮像信号積算手段１０およびアイリス制御手段１１を削除でき、装置構成を簡略化することができる。
【００９０】
なお、上記実施の形態３の演算手段７Ｃを上記実施の形態１に適用し、演算手段７Ａによってアイリスドライバ３を制御することも可能である。
【００９１】
実施の形態４．
図１７は本発明の実施の形態４の撮像装置の構成図である。図１７において、７Ｄは演算手段、８Ａは信号処理手段、８ｆはマトリクス手段であり、図１６と同じものには同じ符号を付してある。図１７のように、実施の形態４の撮像装置は、上記実施の形態３の撮像装置（図１６参照）において、演算手段７Ｃを演算手段７Ｄとし、信号処理手段８を信号処理手段８Ａとしたものである。信号処理手段８Ａは、上記実施の形態３の信号処理手段８において、マトリクス手段８ｃをマトリクス手段８ｆとし、加減算器８ｄを削除したものである。
【００９２】
マトリクス手段８ｆは、上記実施の形態１のマトリクス手段８ｃ（図１および図２参照）と異なり、入力された色信号Ｒ，Ｇ，Ｂを、次式（２０）に示すマトリクス演算によってＲ−Ｙ信およびＢ−Ｙ号に変換し、これらのＲ−Ｙ信号およびＢ−Ｙ信号をエンコーダ８ｇに出力する。
【数５】
0003880276.tif 000006
式（２０）において、ｃ１１，ｃ１２，ｃ１３，ｃ２１，ｃ２２，ｃ２３はマトリクス係数である。これらのマトリクス係数ｃ１１，ｃ１２，ｃ１３，ｃ２１，ｃ２２，ｃ２３は、演算手段７Ｄから入力される可変の値である。このマトリクス手段８ｆは、演算手段７Ｄからのマトリクス係数を用いたマトリクス演算により、ＷＢ調整された色信号Ｒ，Ｇ，Ｂを色差信号（ここでは、Ｒ−Ｙ信号およびＢ−Ｙ信号）に変換する変換手段に相当する。なお、マトリクス手段８ｆにおいて、Ｕ信号およびＶ信号を生成するようにすることも可能である。
【００９３】
図１８はマトリクス手段８ｆの一構成例を示す図である。図１８において、マトリクス手段８ｆは、乗算器８ｐ，８ｑ，８ｒ，８ｓ，８ｔ，８ｕと、加減算器（加算器）８ｖ，８ｗとによって実現されている。マトリクス手段８ｆには、Ｒ−Ｇ信号およびＢ−Ｇ信号が入力されるとともに、式（２０）に示したマトリクス係数ｃ１１，ｃ１２，ｃ１３，ｃ２１，ｃ２２，ｃ２３に対応する信号が演算手段７Ｄから入力される。
【００９４】
乗算器８ｐは、Ｒ信号とｃ１１の信号とを乗算し、加算器８ｖに出力する。乗算器８ｑは、Ｇ信号とｃ１２の信号とを乗算し、加算器８ｖに出力する。乗算器８ｒは、Ｂ信号とｃ１３の信号とを乗算し、加算器８ｖに出力する。加算器８ｖは、乗算器８ｐから入力された信号と、乗算器８ｑから入力された信号と、乗算器８ｒから入力された信号とを加算し、Ｒ−Ｙ信号を生成する。
【００９５】
また、乗算器８ｓは、Ｒ信号とｃ２１の信号とを乗算し、加算器８ｗに出力する。乗算器８ｔは、Ｇ信号とｃ２２の信号とを乗算し、加算器８ｗに出力する。乗算器８ｕは、Ｂ信号とｃ２３の信号とを乗算し、加算器８ｗに出力する。加算器８ｗは、乗算器８ｓから入力された信号と、乗算器８ｔから入力された信号と、乗算器８ｕから入力された信号とを加算し、Ｂ−Ｙ信号を生成する。
【００９６】
演算手段７Ｄは、上記実施の形態１の演算手段７Ｃにおいて、ＷＢ調整のＵＤＣＲ，ＵＤＣＢの値およびアイリス１ａの開口率に応じて、あるいはＷＢ調整のＵＤＣＲ，ＵＤＣＢの値および撮像倍率に応じて、あるいはＷＢ調整のＵＤＣＲ，ＵＤＣＢの値、アイリス１ａの開口率、および撮像倍率に応じて、マトリクス係数ｃ１１，ｃ１２，ｃ１３，ｃ２１，ｃ２２，ｃ２３を補正する。
【００９７】
実施の形態４の撮像装置におけるＵＤＣＲ，ＵＤＣＢの調整範囲および領域区分は、上記実施の形態１の撮像装置と同じであり、例えば図９の領域ａ，ｂ，ｃ，ｓである。図１９は本発明の実施の形態４の撮像装置における図９の領域ａ，ｂ，ｃに応じたマトリクス係数の補正値の一例を示す図である。
【００９８】
演算手段７Ｄは、センサ１ｃから入力される信号によってアイリス１ａの開口率を認識することができ、ズームレンズドライバ１２に送る制御信号によって被写体の撮像倍率を認識することができるとともに、図１９のようにＵＤＣＲ，ＵＤＣＢの調整範囲の領域区分ごとのマトリクス補正値Δｃ１１，Δｃ１２，Δｃ１３，Δｃ２１，Δｂ１２をあらかじめ備えている。さらに、演算手段７Ｄは、アイリス１ａの開口率についての係数ＩのＬＵＴ（図１４参照）と、撮像倍率についての係数ｚのＬＵＴ（図１５参照）とを備えている。
【００９９】
演算手段７Ｄは、上記実施の形態１の演算手段７Ａと同じようにして（図６のステップＳ９，Ｓ１１，Ｓ１３と同じようにして）、Ｒ，Ｂ信号利得（ＵＤＣＲ，ＵＤＣＢ）が図９のどの領域に内に位置しているかを判別する。また、アイリス１ａの開口率についての係数Ｉまたは／および撮像倍率についての係数ｚを、図１４または／および図１５のＬＵＴから求める。さらに、（ＵＤＣＲ，ＵＤＣＢ）が位置している領域に応じた上記マトリクス補正値Δｃ１１〜Δｃ２３（図１９参照）に対し、上記実施の形態２の演算手段７Ｂと同じようにして（式（７）〜（１９）と同じようにして）、係数Ｉまたは／および係数ｚによる補正演算を施す。そして、上記実施の形態１の演算手段７Ａと同じようにして（図６のステップＳ１０，Ｓ１２，Ｓ１４と同じようにして）、上記の補正演算を施したマトリクス補正値Δｃ１１〜Δｃ２３をマトリクス係数ｃ１１〜ｃ２３の初期値にそれぞれ加減算することにより、マトリクス係数ｃ１１〜ｃ２３を補正し、この補正したマトリクス係数ｃ１１〜ｃ２３をマトリクス手段８ｆに出力する。これにより、色再現性について、上記実施の形態２の撮像装置と同様の効果を実現することができる。
【０１００】
このように実施の形態４によれば、演算手段７Ｄからのマトリクス係数を用いたマトリクス演算により、入力された色信号Ｒ，Ｇ，Ｂを色差信号（Ｒ−Ｙ信およびＢ−Ｙ号）に直接変換するマトリクス手段８ｆを設けたことにより、加減算器８ｄ（図１６参照）を削除でき、装置構成を簡略化することができる。
【０１０１】
なお、上記実施の形態４の信号処理装置８Ａおよび演算手段７Ｄを、上記実施の形態１または２に適用することも可能である。
【０１０２】
【発明の効果】
以上のように本発明の請求項１記載の撮像装置によれば、白バランス調整の第１，第２の信号利得値に応じてマトリクス係数を補正することにより、新たに外部センサを設けることなく、演色性の悪い照明を含めた様々な照明に応じて色再現性を適正に補正ができ、色再現性の良好な画像が得ることができるという効果がある。また、外部センサを設ける場合よりも、装置の小型化や意匠についての自由度を大きくでき、低コストにすることが可能であるという効果がある。
【０１０３】
また、請求項２記載の撮像装置によれば、白バランス調整の第１，第２の信号利得値およびアイリスの開口率に応じてマトリクス係数を補正することにより、アイリスの開口率が小さい場合にも、白バランス調整の精度低下を防止することができるので、白バランス調整の精度低下による色再現性の誤補正を防止し、色再現性の良好な画像が得ることができるという効果がある。
【０１０４】
また、請求項３記載の撮像装置によれば、白バランス調整の第１，第２の信号利得値および被写体の撮像倍率に応じてマトリクス係数を補正することにより、撮像倍率が大きい場合にも、白バランス調整の精度低下を防止することができるので、白バランス調整の精度低下による色再現性の誤補正を防止し、色再現性の良好な画像が得ることができるという効果がある。
【図面の簡単な説明】
【図１】  本発明の実施の形態１の撮像装置の構成図である。
【図２】  本発明の実施の形態１の撮像装置におけるマトリクス手段の構成図である。
【図３】  Ｒ，Ｇ，Ｂ成分についての撮像素子の分光感度特性の一例を示す図である。
【図４】  ハロゲンランプや太陽光などに代表される演色性の良い照明の分光特性の一例を示す図である。
【図５】  蛍光灯に代表される演色性の悪い照明の分光特性の一例を示す図である。
【図６】  本発明の実施の形態１の撮像装置における色再現性の補正手順を説明するフローチャートである。
【図７】  ＵＤＣＲ，ＵＤＣＢの値と照明（光源）の種類との関連、およびＵＤＣＲ，ＵＤＣＢの調整範囲を示す図である。
【図８】  ＷＢ調整におけるＵＤＣＲ，ＵＤＣＢの値の変化および収束例を示す図である。
【図９】  本発明の実施の形態１の撮像装置におけるＵＤＣＲ，ＵＤＣＢの調整範囲の領域区分の一例を示す図である。
【図１０】  本発明の実施の形態１の撮像装置におけるＵＤＣＲ，ＵＤＣＢの調整範囲の領域区分に応じたマトリクス係数の補正値の一例を示す図である。。
【図１１】  演色性の良い太陽光下でのＲとＹｅの色再現性を示す図である。
【図１２】  演色性の悪い白色蛍光灯下でのＲとＹｅの色再現性および本発明の実施の形態１によるＲとＹｅの色再現性の補正を示す図である。
【図１３】  本発明の実施の形態２の撮像装置の構成図である。
【図１４】  アイリスの開口率に応じたマトリクス補正値の補正係数ＩのＬＵＴを説明する図である。
【図１５】  撮像倍率に応じたマトリクス補正値の補正係数ｚのＬＵＴを説明する図である。
【図１６】  本発明の実施の形態３の撮像装置の構成図である。
【図１７】  本発明の実施の形態４の撮像装置の構成図である。
【図１８】  本発明の実施の形態４の撮像装置におけるマトリクス手段の構成図である。
【図１９】  本発明の実施の形態４の撮像装置におけるＵＤＣＲ，ＵＤＣＢの調整範囲の領域区分に応じたマトリクス係数の補正値の一例を示す図である。
【図２０】  従来の撮像装置の構成図である。
【図２１】  色再現性の改善を図った従来の撮像装置の構成図である。
【符号の説明】
１  レンズユニット、  １ａ  アイリス、  １ｂ  レンズ系、  １ｃ  センサ、  １ｄ  ズームレンズ、  ２  撮像素子、  ３  アイリスドライバ、  ４  タイミングジェネレータ（ＴＧ）、  ５  前置信号処理手段、  ６  Ａ／Ｄコンバータ、  ７Ａ，７Ｂ，７Ｃ，７Ｄ  演算手段、  ８，８Ａ  信号処理手段、  ８ａ  色分離手段、  ８ｂ  ホワイトバランス調整手段（ＷＢ調整手段）、  ８ｃマトリクス手段、  ８ｄ  加減算器、  ８ｅ  色信号積算手段、  ８ｆ  マトリクス手段、  ８ｇ  エンコーダ、  ８ｈ，８ｉ，８ｊ，８ｋ  乗算器、  ８ｌ，８ｍ  加減算器、  ８ｐ，８ｑ，８ｒ，８ｓ，８ｔ，８ｕ  乗算器、  ８ｖ，８ｗ  加減算器、８ｂａ，８ｂｂ，８ｂｃ  利得制御手段、  ９  出力端子、  １０  撮像信号積算手段、  １１  アイリス制御手段、  １２  ズームレンズドライバ。
【図１】
0003880276.tif 000007
【図２】
0003880276.tif 000008
【図３】
0003880276.tif 000009
【図４】
0003880276.tif 000010
【図５】
0003880276.tif 000011
【図６】
0003880276.tif 000012
【図７】
0003880276.tif 000013
【図８】
0003880276.tif 000014
【図９】
0003880276.tif 000015
【図１０】
0003880276.tif 000016
【図１１】
0003880276.tif 000017
【図１２】
0003880276.tif 000018
【図１３】
0003880276.tif 000019
【図１４】
0003880276.tif 000020
【図１５】
0003880276.tif 000021
【図１６】
0003880276.tif 000022
【図１７】
0003880276.tif 000023
【図１８】
0003880276.tif 000024
【図１９】
0003880276.tif 000025
【図２０】
0003880276.tif 000026
【図２１】
0003880276.tif 000027